(57)【特許請求の範囲】
【請求項１】
被写体側からの光束が入射する光学系を保持し、光軸方向に移動する移動枠と、
前記移動枠を内側で移動自在に支持する固定筒と、
前記移動枠を移動させるカム機構部と、
前記カム機構に設けられ、前記移動枠の移動に伴って前記光束の入射方向に向かって露出する溝部と、
前記固定筒と前記移動枠との間に配置され、前記移動枠の移動に伴って移動して前記被写体側からの光束の一部が前記溝部へ侵入することを防止する露出防止移動筒と、
を備えることを特徴とするレンズ鏡筒。
【請求項２】
請求項１に記載のレンズ鏡筒において、
前記カム機構部は、
前記固定筒に設けられ、前記移動枠の移動を案内する案内用溝部と、
前記固定筒に回転自在に設けられ、前記移動枠に駆動力を付与する駆動用カム溝部とを含み、
前記案内用溝部及び前記駆動用カム溝部には、前記移動枠に設けられた移動部材が移動自在に係合し、
前記露出防止移動筒は、被写体側の先端位置から像側に前記移動枠が後退したときに露出する前記案内用溝部及び／又は前記駆動用カム溝部を隠すように移動すること、
を特徴とするレンズ鏡筒。
【請求項３】
請求項２に記載のレンズ鏡筒において、
前記案内用溝部及び駆動用カム溝部は、鏡筒先端部から突出しない範囲内で前記移動枠を移動すること、
を特徴とするレンズ鏡筒。
【請求項４】
請求項１から請求項３までのいずれか１項に記載のレンズ鏡筒において、
前記カム機構部は、前記露出防止移動筒の移動を制御するカム部を含むこと、
を特徴とするレンズ鏡筒。
【請求項５】
請求項１から請求項４までのいずれか１項に記載のレンズ鏡筒において、
前記露出防止移動筒は、前記カム機構部に入射する光線を遮断する光遮断部を備えること、
を特徴とするレンズ鏡筒。
【請求項６】
請求項１から請求項５までのいずれか１項に記載のレンズ鏡筒において、
前記露出防止移動筒は、前記移動枠が移動するときに、この移動枠と前記固定筒との間に挟まれて、この移動枠が光軸に対して傾斜するのを防止する傾斜防止部を備えること、
を特徴とするレンズ鏡筒。
【請求項７】
請求項１から請求項６までのいずれか１項に記載のレンズ鏡筒において、
前記光学系は、前記被写体に最も近い光学系であること、
を特徴とするレンズ鏡筒。
【請求項８】
請求項１から請求項７までのいずれか１項に記載のレンズ鏡筒において、
前記溝部は、前記光軸方向に延在しており、
前記露出防止移動筒は、前記移動枠よりも前記被写体側の前記溝部の露出を防止すること、
を特徴とするレンズ鏡筒。
【請求項９】
カメラボディと該カメラボディに係合した請求項１から請求項８までのいずれか１項に記載したレンズ鏡筒を備えたことを特徴とするカメラ。
【発明の詳細な説明】
【０００１】
【発明の属する技術分野】
本発明は、光学系を保持し光軸方向に移動する移動枠によりフォーカシングやズーミングを行うレンズ鏡筒及びカメラに関するものである。
【０００２】
【従来の技術】
従来、この種のレンズ鏡筒は、固定筒と、この固定筒の外周部に回転自在に取り付けられ、合焦のために操作される合焦操作環と、合焦レンズ群が取り付けられ、固定筒の内周部を光軸方向に摺動可能な合焦レンズ群移動枠と、合焦操作環の回転により、合焦レンズ群移動枠を光軸方向に移動させるカム機構部と、合焦レンズ群移動枠の先端部に設けられ、例えば、フィルタなどの付属品を取り付けるための付属品取付ねじ部などを備えていた。このような構造のレンズ鏡筒は、合焦レンズ群移動枠を固定筒の内周部において移動可能とするために、光軸方向に長くする必要があった。このために、光軸方向の長さが短く、コンパクトなレンズ鏡筒が望まれていた。
【０００３】
【発明が解決しようとする課題】
図３は、合焦操作により全長が変化するレンズ鏡筒を比較例として示す断面図である。図４は、図３のレンズ鏡筒の移動枠を繰り出した状態を示す断面図である。
図３及び図４に示すように、このレンズ鏡筒は、直進溝１ｃが形成された内側固定筒１ａと外側固定筒１ｂとからなる固定筒１と、内側固定筒１ａの内周部に摺動自在に設けられ、光軸方向に移動自在である合焦レンズ群移動枠４０と、合焦レンズ群移動枠４０の内周部に取り付けられた合焦レンズ群１０，１１と、内側固定筒１ａの外周部に回転自在に設けられ、カム溝３ａが形成されたカム筒３と、このカム筒３の外周部に回転自在に支持された合焦操作環２などから構成されている。合焦レンズ群移動枠４の外周部には、ピン４０ａが取り付けられており、このピン４０ａは、直進溝１ｃ及びカム溝３ａ内を移動可能なように嵌め込まれている。
【０００４】
合焦操作環２は、取付ねじ７によりカム筒３に取り付けられているために、合焦操作環２を撮影者が回転すると、カム筒３は、合焦操作環２と一体となって回転する。カム筒３が回転すると、カム筒３のカム溝３ａがピン４０ａを押し出し、このピン４０ａは、直進溝１ｃにより案内される。付属品取付ねじ部４１ａが形成された合焦レンズ群移動枠４０の先端部は、レンズ鏡筒の先端部を構成しており、図４に示すように、この先端部は、合焦操作により光軸方向に突出し、レンズ鏡筒の全長が変化する。図３及び図４に示すような構造のレンズ鏡筒を設計した場合には、合焦操作により全長が変化するために、近接（接写）撮影のときには、被写体との距離が短くなってしまう。このために、合焦レンズ群移動枠４０の先端部が被写体と接触し、操作性が悪くなる可能性がある。
【０００５】
図５は、合焦操作により全長が変化しないレンズ鏡筒を比較例として示す断面図である。
図５に示すように、このレンズ鏡筒の合焦レンズ群移動枠４は、図３及び図４に示すレンズ鏡筒の合焦レンズ群移動枠４０よりも光軸方向の長さが短く、合焦レンズ群移動枠４が繰り出されても、図中一点鎖線にて示した位置より先に突出しない。このために、合焦レンズ群移動枠４の先端部には、図３及び図４に示すような付属品取付ねじ部４１ａが形成されておらず、内側固定筒１ａの先端に取り付けられた付属品取付環６に付属品取付ねじ部６ａが形成されている。
【０００６】
図５に示すような構造のレンズ鏡筒を設計した場合には、合焦操作により全長が変化しないために、合焦レンズ群移動枠４の先端部は、被写体と接触することがなく、操作性を向上させることができる。
しかし、図５に示すように、合焦レンズ群移動枠４が図中左方向に後退したときには、この合焦レンズ群移動枠４を移動するためのカム機構部の直進溝１ｃ及びカム溝３ａの一部が内側固定筒１ａの内周部側に露出してしまう。このために、露出した直進溝１ｃ及びカム溝３ａにゴミなどの異物が侵入したり、合焦レンズ群１０，１１の光路外からの光が、この直進溝１ｃ及びカム溝３ａを介して侵入する可能性がある。また、直進溝１ｃ及びカム溝３ａの一部が露出するために、レンズ鏡筒の美観が損なわれてしまう。
【０００７】
特開平２−４４３０６号公報には、漏光を防止する構造のズームレンズ鏡筒が開示されている。このズームレンズ鏡筒は、内側固定筒及び外側固定筒からなる固定筒と、この内側固定筒の外周部に回転自在に設けられたカム筒と、このカム筒の外周部に回転自在に設けられた遮光筒と、内側固定筒，カム筒及び遮光筒の外側に設けられ、第１レンズ群を保持して光軸方向に移動する第１レンズ群移動枠と、内側固定筒，カム筒及び遮光筒の内側に設けられ、第２レンズ群を保持する第２レンズ群移動枠などを備えている。このズームレンズ鏡筒の先端部から第１レンズ群移動枠がズーミング動作時に突出すると、内側固定筒及びカム筒のカム溝を介して、第１レンズ群移動枠と外側固定筒との間から光が侵入する。遮光筒は、この侵入した光による漏光を防止している。
しかし、特開平２−４４３０６号公報に記載されたズームレンズ鏡筒は、内側固定筒及びカム筒の全周を覆うように遮光筒を設けているために、ズームレンズ鏡筒の半径方向の長さが大きくなってしまうという問題があった。
【０００８】
本発明の課題は、レンズ鏡筒の全長を変化させず、光路外の光やゴミなどが侵入したり、レンズ鏡筒の美観を損なうことのないコンパクトなレンズ鏡筒及びカメラを提供することである。
【０００９】
【課題を解決するための手段】
前記課題を解決するために、請求項１の発明は、被写体側からの光束が入射する光学系を保持し、光軸方向に移動する移動枠と、前記移動枠を内側で移動自在に支持する固定筒と、前記移動枠を移動させるカム機構部と、前記カム機構に設けられ、前記移動枠の移動に伴って前記光束の入射方向に向かって露出する溝部と、前記固定筒と前記移動枠との間に配置され、前記移動枠の移動に伴って移動して前記被写体側からの光束の一部が前記溝部へ侵入することを防止する露出防止移動筒と、を備えることを特徴とする。
【００１０】
請求項２の発明は、請求項１に記載のレンズ鏡筒において、前記カム機構部は、前記固定筒に設けられ、前記移動枠の移動を案内する案内用溝部と、前記固定筒に回転自在に設けられ、前記移動枠に駆動力を付与する駆動用カム溝部とを含み、前記案内用溝部及び前記駆動用カム溝部には、前記移動枠に設けられた移動部材が移動自在に係合し、前記露出防止移動筒は、被写体側の先端位置から像側に前記移動枠が後退したときに露出する前記案内用溝部及び／又は前記駆動用カム溝部を隠すように移動すること、を特徴とする。
【００１１】
請求項３の発明は、請求項２に記載のレンズ鏡筒において、前記案内用溝部及び駆動用カム溝部は、鏡筒先端部から突出しない範囲内で前記移動枠を移動すること、を特徴とする。
【００１２】
請求項４の発明は、請求項１から請求項３までのいずれか１項に記載のレンズ鏡筒において、前記カム機構部は、前記露出防止移動筒の移動を制御するカム部を含むこと、を特徴とする。
【００１３】
請求項５の発明は、請求項１から請求項４までのいずれか１項に記載のレンズ鏡筒において、前記露出防止移動筒は、前記カム機構部に入射する光線を遮断する光遮断部を備えること、を特徴とする。
【００１４】
請求項６の発明は、請求項１から請求項５までのいずれか１項に記載のレンズ鏡筒において、前記露出防止移動筒は、前記移動枠が移動するときに、この移動枠と前記固定筒との間に挟まれて、この移動枠が光軸に対して傾斜するのを防止する傾斜防止部を備えること、を特徴とするレンズ鏡筒である。
請求項７の発明は、請求項１から請求項６までのいずれか１項に記載のレンズ鏡筒において、前記光学系は、前記被写体に最も近い光学系であること、を特徴とする。
請求項８の発明は、請求項１から請求項７までのいずれか１項に記載のレンズ鏡筒において、前記溝部は、前記光軸方向に延在しており、前記露出防止移動筒は、前記移動枠よりも前記被写体側の前記溝部の露出を防止すること、を特徴とする。
請求項９の発明は、カメラボディと該カメラボディに係合した請求項１から請求項８までのいずれか１項に記載したレンズ鏡筒を備えたことを特徴とするカメラである。
【００１５】
【発明の実施の形態】
（第１実施形態）
以下、図面を参照して、本発明の実施形態についてさらに詳しく説明する。
図１は、本発明の実施形態に係るレンズ鏡筒の断面図である。図２は、本発明の実施形態に係るレンズ鏡筒を繰り出した状態を示す断面図である。なお、以下の説明において、図３から図５に示すレンズ鏡筒と同一の部材は、同一の番号をして説明する。
図１に示すように、本発明の実施形態に係るレンズ鏡筒は、後述する固定筒１と、合焦操作環２と、カム筒３と、合焦レンズ群移動枠４と、露出防止移動筒５と、付属品取付環６と、合焦レンズ群１０，１１と、固定レンズ群１２などを備えている。
【００１６】
固定筒１は、内側固定筒１ａと外側固定筒１ｂとからなる筒である。内側固定筒１ａには、この内側固定筒１ａを貫通し光軸と平行に直線溝１ｃが形成されている。内側固定筒１ａの内周部には、図中右方向（以下、像側という）の端部に固定レンズ群１２を保持するレンズ取付部材１２ａが取り付けられている。内側固定筒１ａの外周部には、後述する付属品取付環６が図中左方向（以下、被写体側という）の端部に取り付けられており、図示しないカメラボディと着脱自在に係合するマウント部１ｄが像側の端部に形成されている。内側固定筒１ａの内周部には、露出防止移動筒５と、合焦レンズ群移動枠４とが光軸方向に移動自在に嵌め込まれている。内側固定筒１ａの外周部には、カム筒３と、合焦操作環２の支持部２ａとが回転自在に支持されている。内側固定筒１ａと外側固定筒１ｂとは、図示しない取付部材により連結されている。
【００１７】
合焦操作環２は、図示しない結像面に被写体の像を結ぶ焦点調整をするときに操作し、回転により操作力を与える部材である。合焦操作環２の内周部には、内側固定筒１ａの外周部と摺動自在に接触する支持部２ａが形成されている。合焦操作環２の外周部には、外側固定筒１ａの先端部と回転自在に係合する係合部２ｂが形成されている。合焦操作環２は、取付ねじ７によりカム筒３と一体となって回転するように、カム筒３の外周部に取り付けられている。合焦操作環２の先端部２ｃは、光軸回りの回転が許容され、光軸方向の移動が規制されるように、付属品取付環６の係合部６ｂと当接している。
【００１８】
カム筒３は、直進溝１ｃに沿って駆動する駆動力を後述するピン４ａ，５ａに付与するための部材である。カム筒３には、このカム筒３を貫通し、光軸方向に傾斜して形成されたカム溝３ａと、光軸方向に傾斜して形成されたカム溝３ｂとが形成されており、このカム溝３ａ，３ｂには、それぞれピン４ａ，５ａの先端部が移動自在に嵌め込まれている。カム筒３の内周部には、内側固定筒１ａの外周部が嵌め込まれており、カム筒３は、内側固定筒１ａの外周部において、光軸回りに回転自在に支持されている。
【００１９】
合焦レンズ群移動枠４は、合焦レンズ群１０，１１を保持するとともに、光軸方向に移動して合焦を行うための枠である。合焦レンズ群移動枠４の内周部には、合焦レンズ群１０，１１をそれぞれ保持するためのレンズ取付部材４１，４２が取り付けられている。レンズ取付部材４１の内周部には、合焦レンズ群１０の被写体側を押さえるための押さえ環４３ａが取り付けられており、レンズ取付部材４１の外周部には、合焦レンズ群１０の像側を押さえるための押さえ環４３ｂが取り付けられている。合焦レンズ群移動枠４の外周部には、図２に示すように、この合焦レンズ群移動枠４が繰り出されたときに、後述する露出防止移動筒５が嵌まり込める程度の移動筒収納部４ａが形成されている。また、合焦レンズ群移動枠４の外周部には、内側固定筒１ａの直進溝１ｃを貫通し、カム筒３のカム溝３ａに嵌め込まれたピン４ａが取り付けられている。合焦レンズ群移動枠４は、その外周部に形成された支持部４ｃにより、内側固定筒１ａの内周部において、光軸方向に移動自在に支持されている。
【００２０】
露出防止移動筒５は、合焦レンズ群移動枠４の移動動作と連動して移動し、カム溝３ａ，３ｂ及び直進溝１ｃが、内側固定筒２ａの内周部側に露出するのを防止する部材である。また、露出防止移動筒５は、カム溝３ａ，３ｂ及び直進溝１ｃに入射する光線を遮断するための部材である。露出防止移動筒５の外周部には、内側固定筒１ａの直進溝１ｃを貫通し、カム筒３のカム溝３ｂに嵌め込まれたピン５ａが取り付けられている。露出防止移動筒５は、内側固定筒１ａの内周部に、光軸方向に移動自在に嵌め込まれている。また、露出防止移動筒５の内周部には、合焦レンズ群移動枠４の先端部が移動自在に嵌まり込むことができ、露出防止移動筒５は、合焦レンズ群移動枠４の先端部が被写体側に移動するときに、この合焦レンズ群移動枠４の移動筒収納部４ｂに像側の端部が収納されながら被写体側に移動する。
【００２１】
付属品取付環６は、例えば、フィルタなどの付属品を取り付けるための部材である。付属品取付環６の内周部には、図示しないフィルタなどに形成されたねじ部と噛み合う付属品取付ねじ部６ａが形成されている。付属品取付環６の外周部には、合焦操作環２の先端部２ｃを回転自在に支持する係合部６ｂが形成されている。付属品取付環６は、内側固定筒１ａの先端部に取り付けられている。
【００２２】
次に、本発明の実施形態に係るレンズ鏡筒の動作について説明する。
図１に示すように、合焦レンズ群移動枠４は、被写体側の先端位置から像側に後退した位置にあり、露出防止移動筒５が設けられていないときには、カム溝３ａ，３ｂ及び直進溝１ｃの一部が内側固定筒１ａの内周部側に露出している。この状態において、合焦操作環２を撮影者が操作すると、この合焦操作環２とカム筒３は、一体となって光軸回りに回転する。カム筒３が回転すると、このカム筒３に形成されたカム溝３ａ，３ｂの側面部は、このカム溝３ａ，３ｂに嵌め込まれたピン４ａ，５ａをそれぞれ被写体側に押し出す。ピン４ａ，５ａは、合焦操作環２の回転による操作力を、カム筒３を介して光軸方向の駆動力として受け取る。
【００２３】
ピン４ａ，５ａは、それぞれカム溝３ａ，３ｂと直進溝１ｃとの交点（重複部）に位置づけられ、内側固定筒２ａに形成された直進溝１ｃにより光軸方向に案内されながら移動する。このために、図１に示す状態から、合焦レンズ群移動枠４は、その支持部４ｃの外周部が内側固定筒１ａの内周部と摺動しつつ、光軸方向に沿って被写体側に移動する。また、露出防止移動筒５は、合焦レンズ群移動枠４の移動筒収納部４ｂの外周部と内側固定筒１ａの内周部との間に挟まれながら、合焦レンズ群移動枠４の移動と連動して、光軸方向に沿って被写体側に摺動する。露出防止移動筒５は、内側固定筒１ａの内周部側に露出したカム溝３ａ，３ｂ及び直進溝１ｃの一部を隠しながら移動する。
【００２４】
合焦レンズ群移動枠４の先端部には、移動筒収納部４ｂが形成されているために、合焦レンズ群移動枠４が移動するときに、露出防止移動筒５の像側の端部は、この移動筒収納部４ｂに収納される。このために、合焦レンズ群移動枠４と露出防止移動筒５とは、相互に干渉することなく移動する。カム溝３ａ，３ｂ及び直進溝１ｃは、合焦レンズ群移動枠４及び露出防止移動筒５が、レンズ鏡筒の被写体側の先端部から突出しない範囲内で形成されている。このために、合焦レンズ群移動枠４及び露出防止移動筒５は、図２に示すように、付属品取付ねじ部６ａの像側の端面まで移動し、その位置で停止する。合焦レンズ群移動枠４及び露出防止移動筒５は、付属品取付ねじ部６ａに取り付けられたフィルタなどと干渉することがない。
なお、図２に示す状態から合焦操作環２を逆方向に回転したときには、上述した動作とは逆の動作により、図１に示すように、合焦レンズ群移動枠４は、被写体側の先端位置から像側の後退した位置まで移動する。
【００２５】
本発明の第１実施形態では、カム溝３ａ，３ｂ及び直進溝１ｃの一部が内側固定筒１ａの内周部に露出するのを、光軸方向に移動する露出防止移動筒５により防止している。このために、図５に示すレンズ鏡筒のように、被写体側の先端位置から像側に後退した位置に、合焦レンズ群移動枠４が位置づけられていても、カム溝３ａ，３ｂ及び直進溝１ｃの一部が内側固定筒１ａの内周部に露出することがない。したがって、カム溝３ａ，３ｂ及び直進溝１ｃ内にゴミなどの異物が侵入するのを防止することができる。また、合焦レンズ群１０，１１を通過する光以外の光がカム溝３ａ及び直進溝１ｃから侵入することがないために、漏光によるゴーストやフレアなどの発生を防止することができる。さらに、カム溝３ａ，３ｂ及び直進溝１ｃの一部が内側固定筒１ａの内周部に露出しないために、レンズ鏡筒の美観を損ねることもない。
【００２６】
本発明の第１実施形態では、露出防止移動筒５は、合焦レンズ群移動枠４の移動筒収納部４ｂの外周部と内側固定筒１ａの内周部との間に挟まれながら、合焦レンズ群移動枠４の移動と連動して光軸方向に摺動する。合焦レンズ群移動枠４は、像側の支持部４ｃの外周部が内側固定筒１ａの内周部に支持され、被写体側の端部は、移動筒収納部４ｂに収納された露出防止移動筒５の像側の端部に支持されている。合焦レンズ群移動枠４は、像側の端部が内側固定筒１ａに支持され、被写体側の端部が露出防止移動筒５を介して内側固定筒１ａに支持されるために、光軸方向のいかなる位置においても、光軸に対して傾くことがない。
【００２７】
本発明の第１実施形態では、図１に示す状態から図２に示す状態まで、合焦レンズ群移動枠４及び露出防止移動筒５を移動している。合焦レンズ群移動枠４及び露出防止移動筒５を図２に示す位置まで繰り出すときには、合焦レンズ群移動枠４を露出防止移動筒５よりも速く繰り出す必要がある。また、合焦レンズ群移動枠４が移動するときには、露出防止移動筒５は、内側固定筒１ａの内周部に露出したカム溝３ａ，３ｂ及び直進溝１ｃを隠すように移動する必要がある。本発明の第１実施形態では、露出防止移動筒５の移動量、移動速度、移動のタイミングなどの移動動作や合焦レンズ群移動枠４の移動動作との連動をカム溝３ｂの形状や光軸に対する傾斜角度などにより調整することができる。また、本発明の第１実施形態では、合焦レンズ群移動枠４及び露出防止移動筒５の先端部は、被写体側に繰り出されたときに、付属品取付環６の付属品取付ねじ部６ａより先には突出しない。したがって、レンズ鏡筒の全長が合焦操作時に変化しないために使い勝手がよく、レンズ群移動枠４及び露出防止移動筒５の先端部が合焦操作時にフィルタなどの付属品と接触することがない。
【００２８】
（他の実施形態）
以上説明した実施形態に限定されることはなく、種々の変形や変更が可能であって、それらも本発明の均等の範囲内である。
本発明の実施形態では、被写体側の合焦レンズ群移動枠４を移動させているが、第１合焦レンズ群１０と第２合焦レンズ群１１とを第１合焦レンズ群移動枠と第２レンズ群移動枠とによりそれぞれ移動する構造のレンズ鏡筒についても適用することができる。例えば、第２レンズ群移動枠の内周部で第１合焦レンズ群移動枠を移動させる構造のときには、第１合焦レンズ群移動枠の移動用カム溝と案内用直進溝とが、第２レンズ群移動枠の内周部に露出する。この場合には、第１合焦レンズ群移動枠の外周部と第２レンズ群移動枠の内周部との間に、露出防止移動筒５と同一構造の移動筒を設けることにより、移動用カム溝及び案内用直進溝の露出を防止することができる。また、本発明の実施形態では、合焦レンズ群移動枠４を移動させてフォーカシングを行う構造のレンズ鏡筒について説明しているが、複数のレンズ移動枠を移動させてズーミングを行う構造のレンズ鏡筒についても適用することができる。
【００２９】
【発明の効果】
以上詳しく説明したように、本発明によれば、以下のような効果がある。
（１）光学系を保持する移動枠が光軸方向に移動するときに、この移動枠と固定筒との間を移動する露出防止移動筒を備えているので、移動枠を移動するカム機構部の溝部が固定筒の内周部の少なくとも一部に露出するのを露出防止移動筒により確実に防止することができる。
【００３０】
（２）被写体側の先端位置から像側に移動枠が後退したときに、固定筒の内周部に露出する案内用溝部及び／又は駆動用溝部を露出防止移動筒により隠すことができる。
【００３１】
（３）案内用溝部及び／又は駆動用溝部により、レンズ鏡筒の先端部から突出しない範囲内で移動枠が移動するので、レンズ鏡筒の全長が変化することがなく、操作性を向上することができる。
【００３２】
（４）露出防止移動筒は、カム機構部のカム部により移動が制御されるので、露出防止移動筒の移動量や速度をこのカム部により確実に制御することができる。
【００３３】
（５）露出防止移動筒は、カム機構部に入射する光線を遮断する光遮断部を備えているので、カム機構部を介して侵入する光による漏光を確実に防止することができる。
【００３４】
（６）移動枠が移動するときに、この移動枠と固定筒との間に露出防止移動筒が挟まれるので、光学系を保持する移動枠が光軸に対して傾斜するのをこの露出防止移動筒により確実に防止することができる。
【図面の簡単な説明】
【図１】本発明の実施形態に係るレンズ鏡筒の断面図である。
【図２】本発明の実施形態に係るレンズ鏡筒の移動枠を繰り出した状態を示す断面図である。
【図３】合焦操作により全長が変化するレンズ鏡筒を比較例として示す断面図である。
【図４】図３のレンズ鏡筒の移動枠を繰り出した状態を示す断面図である。
【図５】合焦操作により全長が変化しないレンズ鏡筒を比較例として示した断面図である。
【符号の説明】
１  固定筒
１ａ  内側固定筒
１ｂ  外側固定筒
１ｃ  直進溝
２  合焦操作環
３  カム筒
３ａ，３ｂ  カム溝
４  合焦レンズ群移動枠
４ａ  ピン
４ｂ  移動筒収納部
５  露出防止移動筒
５ａ  ピン
６  付属品取付環
１０，１１  合焦レンズ群
１２  固定レンズ群
【図１】
0003757495.tif 000002
【図２】
0003757495.tif 000003
【図３】
0003757495.tif 000004
【図４】
0003757495.tif 000005
【図５】
0003757495.tif 000006